(57)【要約】【課題】２つのスプリットリング共振器が、所定の距離を隔てて配置されている場合に比べて、小型化したアンテナを提供する。【解決手段】アンテナ構造１０は、基板６と、基板６に形成された第１の導体パターンから構成され、第１の周波数帯域内で変化する周波数を有する第１の電流が上記第１の導体パターンに流れたとき共振する第１のスプリットリング共振器１と、基板６に形成された第１の導体パターンから構成され、第１の周波数帯とは異なる第２の周波数帯域内で変化する周波数を有する第２の電流が上記第２の導体パターンに流れたとき共振する第２のスプリットリング共振器２とを備え、第１の導体パターン１の一部が第２の導体パターン２の一部でもある。【選択図】      図１
2016131319.tif 000002
【特許請求の範囲】
【請求項１】
基板と、
前記基板に形成された第１の導体パターンから構成され、第１の周波数帯域内で変化する周波数を有する第１の電流が前記第１の導体パターンを流れたとき共振する第１のスプリットリング共振器と、
前記基板に形成された第２の導体パターンから構成され、第１の周波数帯とは異なる第２の周波数帯域内で変化する周波数を有する第２の電流が前記第２の導体パターンを流れたとき共振する第２のスプリットリング共振器と
を備え、
前記第１の導体パターンの一部が前記第２の導体パターンの一部でもある
ことを特徴とするアンテナ構造。
【請求項２】
前記第１の導体パターンおよび前記第２の導体パターンの少なくとも一方の一部として、インピーダンス調整パターンを含む
ことを特徴とする請求項１に記載のアンテナ構造。
【発明の詳細な説明】
【技術分野】
【０００１】
本発明は、スプリットリング共振器を使用したアンテナ構造に関する。
【背景技術】
【０００２】
今日、無線通信機能を備えた情報端末等の電子機器においては、無線通信用電波を送受信する複数のアンテナが設けられており、該複数のアンテナは、例えば、プリント基板と、該基板に形成され、複数のスプリットリング共振器を構成する所定の導体パターンとから構成されている。
【０００３】
例えば、特許文献１には、２つのスプリットリング共振器を所定の距離を隔てて配置し、これらをアンテナとして使用する技術が開示されている。
【０００４】
なお、関連技術として、特許文献２には、誘電体基板２に設けられた導体板３に形成されたスロット４を、所定の距離を持たせて２つ配置し、これらをアンテナとして使用する技術が開示されている。
【０００５】
また、特許文献３には、近接する複数の周波数を受信するマイクロストリップアンテナ２２、２４を小型、簡易な構造で実現する技術が開示されている。
【０００６】
また、特許文献４には、誘電体層７の両側面に設けられた略Ｃ字状の導体層からなるスプリットリング部１および２のスプリット部６ａおよび６ｂにおいて、スプリット部６ａにおける補助導体パターン電極１１ａと、スプリット部６ｂにおける補助導体パターン電極１１ｂとが誘電体層７を挟んで重なり合って形成されるコンデンサの静電容量を大きくすることにより、スプリットリングアンテナを小型、簡易な構造で実現する技術が開示されている。
【先行技術文献】
【特許文献】
【０００７】
【特許文献１】国際公開第２０１３／０２７８２４号
【特許文献２】特開２０１２−０８５２６２号公報
【特許文献３】特開平５−３１５８２８号公報
【特許文献４】特開２０１４−１６５６８３号公報
【発明の概要】
【発明が解決しようとする課題】
【０００８】
しかしながら、特許文献１記載の技術においては、２つのスプリットリング共振器が、所定の距離を隔てて配置されているので、その隔てられた距離の分だけアンテナが大型化するという欠点がある。
【０００９】
なお、特許文献２および３のいずれにも、スプリットリング共振器は開示されていない。
【００１０】
また、特許文献４には、１つのスプリットリング共振器しか開示されていない。
【００１１】
本発明の目的は、上述した問題点を解決するアンテナ構造を提供することにある。
【課題を解決するための手段】
【００１２】
本発明のアンテナ構造は、
基板と、
前記基板に形成された第１の導体パターンから構成され、第１の周波数帯域内で変化する周波数を有する第１の電流が前記第１の導体パターンを流れたとき共振する第１のスプリットリング共振器と、
前記基板に形成された第２の導体パターンから構成され、第１の周波数帯とは異なる第２の周波数帯域内で変化する周波数を有する第２の電流が前記第２の導体パターンを流れたとき共振する第２のスプリットリング共振器と
を備え、
前記第１の導体パターンの一部が前記第２の導体パターンの一部でもある。
【発明の効果】
【００１３】
本発明には、２つのスプリットリング共振器が、所定の距離を隔てて配置されている場合に比べて、アンテナを小型化することができるという効果がある。
【図面の簡単な説明】
【００１４】
【図１】本発明の実施形態を示す上面図である。
【図２】第１のスプリットリング共振器に流れる電流を示す図である。
【図３】第２のスプリットリング共振器に流れる電流を示す図である。
【図４】第２のスプリットリング共振器の共振周波数を調整するインピーダンス調整パターンを示す図である。
【発明を実施するための形態】
【００１５】
次に、本発明の実施形態について図面を参照して詳細に説明する。
【００１６】
＜実施形態＞
図１は、本発明の実施形態を示す上面図である。
【００１７】
図１を参照すると、本実施形態において、アンテナ構造１０は、基板６と、基板６に形成された第１の導体パターン（図１の左下がり斜線の部分および網目状の部分）から構成され、第１の周波数帯域内で変化する周波数を有する第１の電流が該第１の導体パターンに流れたときに共振する第１のスプリットリング共振器１（以下、「ＳＲ共振器１」と略称する。）と、基板６に形成された第２の導体パターン（図１の右下がり斜線の部分および網目状の部分）から構成され、第１の周波数帯域とは異なる第２の周波数帯域内で変化する周波数を有する第２の電流が流れたときに共振する第２のスプリットリング共振器２（以下、「ＳＲ共振器２」と略称する。）と、上記第１の導体パターンの一部が上記第２の導体パターンの一部でもある部分４（以下、「共通給電路４」と言う。）の端部３（以下、「給電部３」と言う。）と、給電部３に上記第１および／または上記第２の電流を供給する給電線７とから構成される。
【００１８】
次に、本実施形態の動作について、図２乃至図４の各図を用いて説明する。
【００１９】
図２に示すように、ＳＲ共振器１は、第１の周波数帯域内で変化する第１の周波数ｆ１を有する第１の電流が、給電線７（図２には図示せず）から給電部３に供給され、図２の一点鎖線で示される経路で共通給電路４を含む導体パターンに流れることにより、第１の周波数ｆ１で共振し、第１の周波数帯域の電波を放射する。
【００２０】
同様に、図３に示すように、ＳＲ共振器２は、第２の周波数帯域内で変化する第２の周波数ｆ２を有する第２の電流が、給電線７（図３には図示せず）から給電部３に供給され、図３に一点鎖線で示される経路で共通給電路４を含む導体パターンに流れことにより、第２の周波数ｆ２で共振し、第２の周波数帯域の電波を放射する。
【００２１】
図２および図３から分かるように、本実施形態では、ＳＲ共振器１および２で、それぞれ第１の電流および第２の電流を流すために、共通給電路４が共用されている。
【００２２】
以上、本実施形態には、２つのスプリットリング共振器が、所定の距離を隔てて配置されている場合に比べて、アンテナを小型化することができるという効果がある。
【００２３】
その理由は、ＳＲ共振器１を構成する導体パターンの一部がＳＲ共振器２を構成する導体パターンの一部でもあるようにしたからである。
【００２４】
なお、図４に示すように、例えば、ＳＲ共振器２の共振周波数を調整するために、ＳＲ共振器２の導体パターンの一部としてインピーダンス調整パターン８を設けるようにしてもよい。
【符号の説明】
【００２５】
１    スプリットリング共振器
２    スプリットリング共振器
３    端部
４    部分
６    基板
７    給電線
８    インピーダンス調整パターン
１０    アンテナ構造
【図１】
2016131319.tif 000003
【図２】
2016131319.tif 000004
【図３】
2016131319.tif 000005
【図４】
2016131319.tif 000006